(57)【要約】      （修正有）【課題】ネットワークスライスを利用するオペレータだけが、利用するネットワークスライスのログファイルにアクセスすることを可能にする無線アクセス装置、無線アクセス方法、およびプログラムを提供する。【解決手段】無線アクセス装置１０は、ネットワークスライス機能を有し、複数のネットワークスライス１０１乃至１０ｎは、それぞれ異なる識別符号を付与される。制御手段１１は、ネットワークスライスが使用するシステムパラメータ（ｓｙｓｔｅｍ ｐａｒａｍｅｔｅｒ）およびハードウェアならびにネットワークスライス等に接続する無線端末の端末識別符号、の少なくともいずれか１つの情報を含むスライス情報の履歴をネットワークスライスの識別符号と関連付けてログファイル１２に記録する。【選択図】図１
2018195063.tif 000002
【特許請求の範囲】
【請求項１】
ネットワークスライス機能を有する無線アクセス装置であって、
複数の前記ネットワークスライスはそれぞれ異なる識別符号を付与され、
前記ネットワークスライスが使用するシステムパラメータおよびハードウェア、ならびに前記ネットワークスライスに接続する無線端末の端末識別符号の少なくともいずれか１つの情報を含むスライス情報の履歴を前記ネットワークスライスの識別符号と関連付けてログファイルに記録する制御手段を備える
ことを特徴とする無線アクセス装置。
【請求項２】
前記スライス情報を前記ネットワークスライスの識別符号と関連付けて記録するデータベースファイルを更に備え、
前記制御手段は、前記スライス情報に変化があると前記データベースファイルが記憶する前記スライス情報を更新する
ことを特徴とする請求項１に記載の無線アクセス装置。
【請求項３】
前記スライス情報は前記無線アクセス装置と異なる管理装置から受信する
ことを特徴とする請求項１または請求項２に記載の無線アクセス装置。
【請求項４】
前記ネットワークスライスの識別符号と関連付けられた前記ログファイルは、前記ネットワークスライスの識別符号に対応した認証手段によってのみアクセス可能である
ことを特徴とする請求項１乃至請求項３のいずれかに記載の無線アクセス装置。
【請求項５】
ネットワークスライス機能を有する無線アクセス装置の複数の前記ネットワークスライスは、それぞれ異なる識別符号が付与され、
前記ネットワークスライスが使用するシステムパラメータおよびハードウェア、ならびに前記ネットワークスライスを使用する無線端末識別符号の少なくともいずれか１つの情報を含むスライス情報の履歴を前記ネットワークスライスの識別符号と関連付けてログファイルに記録する
ことを特徴とする無線アクセス方法。
【請求項６】
前記無線アクセス方法は、更に前記スライス情報を前記ネットワークスライスの識別符号と関連付けてデータベースファイルに記録し、
前記スライス情報に変化があると前記データベースファイルが記憶する前記スライス情報を更新する
ことを特徴とする請求項５に記載の無線アクセス方法。
【請求項７】
前記スライス情報は前記無線アクセス装置と異なる管理装置から受信する
ことを特徴とする請求項５または請求項６に記載の無線アクセス方法。
【請求項８】
前記ネットワークスライスの識別符号と関連付けられた前記ログファイルは、前記ネットワークスライスの識別符号に対応した認証手段によってのみアクセス可能である
ことを特徴とする請求項５乃至請求項７のいずれかに記載の無線アクセス方法。
【請求項９】
それぞれ異なる識別符号を付与されたネットワークスライスが使用するシステムパラメータおよびハードウェア、ならびに前記ネットワークスライスを使用する無線端末識別符号の少なくともいずれか１つの情報を含むスライス情報の履歴を前記ネットワークスライスの識別符号と関連付けてログファイルに記録する
ことをコンピュータに実行させるプログラム。
【請求項１０】
前記プログラムは、更に前記スライス情報を前記ネットワークスライスの識別符号と関連付けてデータベースファイルに記録し、
前記スライス情報に変化があると前記データベースファイルが記憶する前記スライス情報を更新する
ことをコンピュータに実行させる請求項９に記載のプログラム。
【発明の詳細な説明】
【技術分野】
【０００１】
本発明は、無線アクセス装置、無線アクセス方法、およびプログラムに関するものである。
【背景技術】
【０００２】
無線端末の接続先である無線アクセス（access）装置は、無線システムのシステムパラメータ（system parameter）、およびハードウェアの障害情報を記録したり、無線端末の接続状況をログファイル（log file）に記録したりしている。
【０００３】
ログファイルは無線アクセス装置のメモリ（memory）に記憶されていて、ログファイルにアクセスして閲覧する場合は、無線アクセス装置の管理者が管理者権限にて行っていた。
【０００４】
しかし、無線アクセス装置が、一つの装置内の無線リソースを複数に分割したネットワークスライス（Network Slice）機能を有し、ネットワークスライス毎に異なるオペレータ（operator）が利用するようになった。ネットワークスライスは、非特許文献１に記載される様に、共有ハードウェアを一部分または全部を使用して実現される複数の仮想的なネットワークのひとつひとつである。
【０００５】
ログファイルは、オペレータの機密事項である。しかし、通常用いられているネットワークスライス機能を有する無線アクセス装置のログファイルでは、ネットワークスライスをどのオペレータが使用しているかを判別することが困難である。そのため、ログファイルに対してネットワークスライス毎にアクセス制限を設定することが出来ない。
【０００６】
一方、特許文献１では、共有ネットワーク機器を複数の仮想ネットワークが用いる、ネットワーク管理システムが示されている。そして、特許文献１では、仮想ネットワーク毎にログ（リソース情報レポジトリ）の記録を可能とし、ログ毎に決められた管理者だけがアクセスするためのアクセス権限確認が可能となっている。
【先行技術文献】
【特許文献】
【０００７】
【特許文献１】特許第４６５０６０７号公報
【非特許文献】
【０００８】
【非特許文献１】「ネットワーク仮想化に向けた技術開発の現状」ＮＴＴ技術ジャーナル  ２０１４．５
【発明の概要】
【発明が解決しようとする課題】
【０００９】
しかし、特許文献１による技術によると、ログの記録やログのアクセス権限確認のためには、無線アクセス装置を制御するための共有ネットワーク機器管理コントローラが必要である。
【００１０】
本発明の無線アクセス装置は、無線アクセス装置を制御する装置を別に設けることなく、ネットワークスライスを利用するオペレータだけが、利用するネットワークスライスのログファイルにアクセスすることを可能にする。
【課題を解決するための手段】
【００１１】
上記の目的を達成するために、本発明の無線アクセス装置は、ネットワークスライス機能を有する無線アクセス装置であって、複数の前記ネットワークスライスはそれぞれ異なる識別符号を付与され、前記ネットワークスライスが使用するシステムパラメータおよびハードウェア、ならびに前記ネットワークスライスに接続する無線端末の端末識別符号の少なくともいずれか１つの情報を含むスライス情報の履歴を前記ネットワークスライスの識別符号と関連付けてログファイルに記録する制御手段を備える。
【００１２】
上記の目的を達成するために、本発明の無線アクセス方法は、ネットワークスライス機能を有する無線アクセス装置の複数の前記ネットワークスライスは、それぞれ異なる識別符号が付与され、前記ネットワークスライスが使用するシステムパラメータおよびハードウェア、ならびに前記ネットワークスライスを使用する無線端末識別符号の少なくともいずれか１つの情報を含むスライス情報の履歴を前記ネットワークスライスの識別符号と関連付けてログファイルに記録する。
【００１３】
上記の目的を達成するために、本発明のプログラムは、それぞれ異なる識別符号を付与されたネットワークスライスが使用するシステムパラメータおよびハードウェア、ならびに前記ネットワークスライスを使用する無線端末識別符号の少なくともいずれか１つの情報を含むスライス情報の履歴を前記ネットワークスライスの識別符号と関連付けてログファイルに記録することをコンピュータに実行させる。
【発明の効果】
【００１４】
本発明によれば、無線アクセス装置を制御する装置を別に設けることなく、ネットワークスライスを利用するオペレータだけが、利用するネットワークスライスのログファイルにアクセスすることを可能にする。
【図面の簡単な説明】
【００１５】
【図１】第１の実施形態の構成例を示す図である。
【図２】第１の実施形態の構成例を示す図である。
【図３】第２の実施形態の動作を説明する図である。
【図４】第２の実施形態の動作を説明する図である。
【図５】第２の実施形態の動作を説明する図である。
【図６】第２の実施形態の動作を説明する図である。
【図７】第２の実施形態の動作を説明する図である。
【発明を実施するための形態】
【００１６】
［第１の実施形態］
次に、本発明の実施の形態について図面を参照して説明する。
【００１７】
図１に第１の実施形態の構成を示す。
【００１８】
本実施形態の無線アクセス装置１０は、ネットワークスライス機能を有する。
【００１９】
そして、複数の前記ネットワークスライス１０１乃至１０ｎ（以下、ネットワークスライス１０１等）は、それぞれ異なる識別符号を付与されている。
【００２０】
また、前記無線アクセス装置１０は、後述するスライス情報の履歴を前記ネットワークスライスの識別符号と関連付けてログファイル１２に記録する制御手段１１を備える。前記スライス情報は、前記ネットワークスライス１０１等が使用するシステムパラメータ（system parameter）およびハードウェア、ならびに前記ネットワークスライス１０１等に接続する無線端末の端末識別符号の少なくともいずれか１つの情報を含む。
【００２１】
この様にすることで、無線アクセス装置１０は、無線アクセス装置を制御する装置を別に設けることなく、ネットワークスライス１０１等を利用するオペレータだけが、利用するネットワークスライス１０１等のログファイルにアクセスすることを可能にする。
［第２の実施形態］
次に、第２の実施形態について図２乃至図４を参照して説明する。
［構成の説明］
図２は本実施形態の無線アクセス装置１００の構成を示す。
【００２２】
無線アクセス装置１００は、少なくとも１つの無線端末と無線接続し、ネットワークに接続する無線基地局である。
【００２３】
無線アクセス装置１００は、複数のネットワークスライス１１１乃至１１ｎ、ログファイル１２０、データベースファイル１３０、認証手段１４０、制御手段１６０によって構成される。更に無線アクセス装置１００は、Ｏ＆Ｍアプリケーション１５１、および呼処理アプリケーション１５２によって構成される。この内、Ｏ＆Ｍアプリケーション１５１と呼処理アプリケーション１５２はソフトウェアである。
【００２４】
ネットワークスライス１１１乃至１１ｎは、無線アクセス装置１００の無線機能を複数で分割使用する際の機能単位である。ネットワークスライス１１１乃至１１ｎは、ネットワークスライス毎に異なる管理者が利用することが出来る。
【００２５】
また、ネットワークスライス１１１乃至１１ｎ毎に、通信方式が異なっていても良い。また、ネットワークスライス１１１乃至１１ｎ毎に、通信を設定するパラメータであるシステムパラメータが異なっていても良い。ここで、ネットワークスライス１１１乃至１１ｎ毎に異なるシステムパラメータとしては、フレームフォーマット、ＱｏＳ（Quality of Service）設定、最大データレートなどであっても良い。更に、通信状況に応じて、システムパラメータが変更されることがあっても良い。
【００２６】
ログファイル１２０とデータベースファイル１３０は、記憶装置または記憶素子で実現される情報の記憶手段である。
【００２７】
認証手段１４０は、後述の様にパスワード認証、指紋認証、顔認証など、一般的な認証手段でありソフトウェアで実現されてもよい。認証手段１４０は、管理者が入力した認証情報とネットワークスライス毎のログファイルが有する認証情報とを照合し、照合の結果一致するネットワークスライスのログファイルに対して、管理者がアクセスすることを許可する。
【００２８】
制御手段１６０は、ＣＰＵ（Central Processing Unit；中央処理装置）を含み、無線アクセス装置１００のハードウェアを制御し、ソフトウェア処理を行う。
【００２９】
Ｏ＆Ｍアプリケーション１５１は、システムパラメータの変更要求や障害情報の通知を行うソフトウェアである。システムパラメータの変更要求や障害情報の通知は、無線アクセス装置１００の機能として要求されることでも良く、無線アクセス装置１００に接続される管理装置からの要求であっても良い。
【００３０】
呼処理アプリケーション１５２は、無線アクセス装置１００に接続する無線端末の制御を行い、無線接続装置の識別符号、接続開始時刻、接続終了時刻などの情報を記録する。
［動作の説明］
次に、本実施形態の動作について、図２乃至図７を参照して説明する。
【００３１】
図３は、データベースファイル１３０に記憶される情報の例を模式的に示したものである。
【００３２】
データベースファイル１３０には、ネットワークスライス１１１乃至１１ｎ毎に、ネットワークスライス個別のデータベースファイル１３１乃至１３ｎが記憶されている。そして、データベースファイル１３１乃至１３ｎには、そのネットワークスライス１１１乃至１１ｎが使用するシステムパラメータやハードウェアを記憶する。
【００３３】
システムパラメータやハードウェアが、ネットワークスライス１１１乃至１１ｎの内の複数のネットワークスライスで共通に利用されている場合、ネットワークスライスが異なってもそれぞれのネットワークスライスの共通の項目については同じ記述となる。また、ネットワークスライス１１１乃至１１ｎで使用するシステムパラメータやハードウェアが、Ｏ＆Ｍアプリケーション１５１の指示によって変更されると、データベースファイル１３０の内容は更新される。
【００３４】
尚、データベースファイル１３０には、システムパラメータやハードウェアがどのネットワークスライス１１１乃至１１ｎにも関係が無く、無線アクセス装置１００の管理者のみに関係することを記述しても良い。
【００３５】
更に、データベースファイル１３０には、後述の様にネットワークスライス１１１乃至１１ｎと接続する無線端末の識別符号（図４では端末ＩＤと表記）も記憶される。
【００３６】
図４は、ログファイル１２０に記憶される情報を模式的に示したものである。
【００３７】
ログファイル１２０にはネットワークスライス１１１乃至１１ｎ毎に、ネットワークスライス個別のログファイル１２１乃至１２ｎが記憶されている。そして、ログファイル１２１乃至１２ｎには、そのネットワークスライス１１１乃至１１ｎが使用するシステムパラメータ、ハードウェア、無線端末の識別符号と接続開始時刻、接続終了時刻などの情報を履歴として記録出来る。
【００３８】
また、ログファイル１２０には、ネットワークスライス１１１乃至１１ｎごとに、ログにアクセスする際の認証情報１１１１乃至１１１ｎが記録されている。認証情報１１１１乃至１１１ｎはパスワード認証、指紋認証、顔認証など、一般的な認証方法に使用する認証情報が考えられる。
【００３９】
ここで、管理者が管理するネットワークスライスのログファイルにアクセスする方法について、図５を参照して説明する。
【００４０】
ネットワークスライス１１１乃至１１ｎのそれぞれの管理者は、管理者が管理するネットワークスライスに対応する認証情報を管理者が管理するネットワークスライス１１１乃至１１ｎ経由で入力する。すると、無線アクセス装置１００は、ログファイルに対する認証情報を受付ける（Ｓ１０１）。
【００４１】
次に、制御手段１６０は、認証手段１４０を用いて、ステップＳ１０１で無線アクセス装置１００が受付けた認証情報と、ログファイル１２０の認証情報１１１１乃至１１１ｎとを照合する（Ｓ１０２）。
【００４２】
認証手段１４０は、ステップＳ１０１で無線アクセス装置１００が受付けた認証情報と、ログファイルの認証情報１１１１乃至１１１ｎが一致するネットワークスライスのログファイルに管理者のアクセスを許可する（Ｓ１０３）。
【００４３】
この様にすることで、管理者自身が管理するネットワークスライス以外のネットワークスライスのログファイルには、アクセスすることが出来ない。
【００４４】
次に、呼処理アプリケーション１５２が、無線端末の接続要求を受付けた場合の無線アクセス装置１００の動作を、図６を参照して説明する。
【００４５】
無線アクセス装置１００が、無線端末から接続要求信号を受信すると、呼処理アプリケーション１５２が、無線端末の接続要求を受付ける（Ｓ２０１）。
【００４６】
ここで、無線端末の接続要求信号には、どのネットワークスライスに接続するかの情報が含まれている。
【００４７】
制御手段１６０は、データベースファイル１３０を参照して、無線端末をどのネットワークスライス１１１乃至１１ｎで処理するかを判定する（Ｓ２０２）。
【００４８】
制御手段１６０は、ステップＳ２０２の判定結果に基づいて、無線端末が接続するネットワークスライス１１１乃至１１ｎに対応するログファイル１２１乃至１２ｎに無線端末の識別符号と、接続開始時刻、接続終了時刻などを記録する（Ｓ２０３）。
【００４９】
更に、制御手段１６０は、判定結果に基づいてデータベースファイル１３０のネットワークスライスごとのデータベースファイル１３１乃至１３ｎに無線端末の識別符号とネットワークスライス１１１乃至１１ｎの対応関係を記録する（Ｓ２０４）。
【００５０】
そして、制御手段１６０は、ステップＳ２０２で判定したネットワークスライス情報に基づいて、無線アクセス装置１００と無線端末とを無線接続する（Ｓ２０５）。
【００５１】
ステップＳ２０３で説明した様に、ログファイル１２１乃至１２ｎには、ネットワークスライスに接続した無線端末の識別符号、接続開始時刻、接続終了時刻などの情報が記録されている。ネットワークスライスの管理者は、これらの情報に基づいて、一定期間における無線端末ごとの接続時間の情報を取得するなどの、統計作業を行うことが出来る。
【００５２】
次に、Ｏ＆Ｍアプリケーション１５１が、システムパラメータの変更やハードウェアの障害通知を行う指示を出す場合の無線アクセス装置の動作を、図７を参照して説明する。
【００５３】
Ｏ＆Ｍアプリケーション１５１が、システムパラメータの変更やハードウェアの障害通知を行う指示を出すのは、次の様な場合が想定される。
【００５４】
ネットワークスライス１１１乃至１１ｎが使用している無線システムが、電波状況の変化や通信利用状況の混雑度の変化などによって、無線アクセス装置１００が自動的にシステムパラメータを変更する場合。
【００５５】
或いは、ハードウェア障害が生じたことを無線アクセス装置１００が検知し、管理者に通知する場合。
【００５６】
または、無線アクセス装置１００と同じネットワークに接続されている無線アクセス装置１００以外の装置から、システムパラメータの変更やハードウェアの障害通知を行う様に指示された場合などである。
【００５７】
この様な場合に、Ｏ＆Ｍアプリケーション１５１は、システムパラメータの変更やハードウェアの障害通知を行う指示を出す（Ｓ３０１）。
【００５８】
制御手段１６０は、データベースファイル１３０を参照して変更しようとするシステムパラメータ、或いは障害を通知しようとするハードウェアが、ネットワークスライス１１１乃至１１ｎのいずれであるかを判定する（Ｓ３０２）。
【００５９】
そして、制御手段１６０は、ログファイル１２０の記録の内、ステップＳ３０２で判定したネットワークスライス１１１乃至１１ｎに対応する記録に、変更後の情報を追加する（Ｓ３０３）。
【００６０】
また、制御手段１６０は、データベースファイル１３０の記録の内、ステップＳ３０２で判定したネットワークスライス１１１乃至１１ｎに対応する記録を、変更後の情報に更新する（Ｓ３０４）。
【００６１】
その後、制御手段１６０は、対象となるネットワークスライスのシステムパラメータの変更や、外部に対するハードウェアの障害通知を実行する（Ｓ３０５）。
【００６２】
以上説明した様に、無線アクセス装置１００は、無線アクセス装置１００を制御する装置を別に設けることなく、ネットワークスライスを利用する管理者だけが、利用するネットワークスライスのログファイルにアクセスすることを可能にする。
【００６３】
以上、本発明の好適な実施形態を説明したが、上記実施形態に限定されるものではなく、次のように拡張または変形できる。
【００６４】
第２の実施形態において、データベースファイル１３０は、ネットワークスライス１１１乃至１１ｎのそれぞれが、どの様なシステムパラメータやハードウェアを利用しているかを記憶している。しかし、ネットワークスライス１１１乃至１１ｎのそれぞれが、どの様なシステムパラメータやハードウェアを利用しているかを無線アクセス装置１００に接続される管理装置が把握している場合は、データベースファイル１３０を備えなくても良い。この場合、管理装置は、どの様なシステムパラメータやハードウェアを利用しているかの管理情報を、Ｏ＆Ｍアプリケーション１５１に伝達する。
【００６５】
また、本発明は、実施形態の機能を実現する情報処理プログラムが、システム或いは装置に直接或いは遠隔から供給される場合にも適用可能である。
【００６６】
上記の実施形態の一部又は全部は、以下の付記のようにも記載されうるが、以下には限られない。
【００６７】
（付記１）
ネットワークスライス機能を有する無線アクセス装置であって、
複数の前記ネットワークスライスはそれぞれ異なる識別符号を付与され、
前記ネットワークスライスが使用するシステムパラメータおよびハードウェア、ならびに前記ネットワークスライスに接続する無線端末の端末識別符号の少なくともいずれか１つの情報を含むスライス情報の履歴を前記ネットワークスライスの識別符号と関連付けてログファイルに記録する制御手段を備える
ことを特徴とする無線アクセス装置。
【００６８】
（付記２）
前記スライス情報を前記ネットワークスライスの識別符号と関連付けて記録するデータベースファイルを更に備え、
前記制御手段は、前記スライス情報に変化があると前記データベースファイルが記憶する前記スライス情報を更新する
ことを特徴とする付記１に記載の無線アクセス装置。
【００６９】
（付記３）
前記スライス情報は前記無線アクセス装置と異なる管理装置から受信する
ことを特徴とする付記１または付記２に記載の無線アクセス装置。
【００７０】
（付記４）
前記ネットワークスライスの識別符号と関連付けられた前記ログファイルは、前記ネットワークスライスの識別符号に対応した認証手段によってのみアクセス可能である
ことを特徴とする付記１乃至付記３のいずれかに記載の無線アクセス装置。
【００７１】
（付記５）
ネットワークスライス機能を有する無線アクセス装置の複数の前記ネットワークスライスは、それぞれ異なる識別符号が付与され、
前記ネットワークスライスが使用するシステムパラメータおよびハードウェア、ならびに前記ネットワークスライスを使用する無線端末識別符号の少なくともいずれか１つの情報を含むスライス情報の履歴を前記ネットワークスライスの識別符号と関連付けてログファイルに記録する
ことを特徴とする無線アクセス方法。
【００７２】
（付記６）
前記無線アクセス方法は、更に前記スライス情報を前記ネットワークスライスの識別符号と関連付けてデータベースファイルに記録し、
前記スライス情報に変化があると前記データベースファイルが記憶する前記スライス情報を更新する
ことを特徴とする付記５に記載の無線アクセス方法。
【００７３】
（付記７）
前記スライス情報は前記無線アクセス装置と異なる管理装置から受信する
ことを特徴とする付記５または付記６に記載の無線アクセス方法。
【００７４】
（付記８）
前記ネットワークスライスの識別符号と関連付けられた前記ログファイルは、前記ネットワークスライスの識別符号に対応した認証手段によってのみアクセス可能である
ことを特徴とする付記５乃至付記７のいずれかに記載の無線アクセス方法。
【００７５】
（付記９）
それぞれ異なる識別符号を付与されたネットワークスライスが使用するシステムパラメータおよびハードウェア、ならびに前記ネットワークスライスを使用する無線端末識別符号の少なくともいずれか１つの情報を含むスライス情報の履歴を前記ネットワークスライスの識別符号と関連付けてログファイルに記録する
ことをコンピュータに実行させるプログラム。
【００７６】
（付記１０）
前記プログラムは、更に前記スライス情報を前記ネットワークスライスの識別符号と関連付けてデータベースファイルに記録し、
前記スライス情報に変化があると前記データベースファイルが記憶する前記スライス情報を更新する
ことをコンピュータに実行させる付記９に記載のプログラム。
【００７７】
（付記１１）
前記ネットワークスライスの識別符号と関連付けられた前記ログファイルは、前記ネットワークスライスの識別符号に対応した認証手段によってのみアクセス可能である
ことを特徴とする付記９または付記１０に記載のプログラム。
【符号の説明】
【００７８】
１０  無線アクセス装置
１１  制御手段
１２  ログファイル
１００  無線アクセス装置
１０１、１０ｎ  ネットワークスライス
１１１、１１ｎ  ネットワークスライス
１２０  ログファイル
１２１、１２ｎ  ログファイル
１３０  データベースファイル
１３１、１３ｎ  データベースファイル
１４０  認証手段
１５１  アプリケーション
１５２  呼処理アプリケーション
１６０  制御手段
１１１１、１１１ｎ  認証情報
【図１】
2018195063.tif 000003
【図２】
2018195063.tif 000004
【図３】
2018195063.tif 000005
【図４】
2018195063.tif 000006
【図５】
2018195063.tif 000007
【図６】
2018195063.tif 000008
【図７】
2018195063.tif 000009